(57)【要約】【課題】吹出し口から空気をより均一、高速に吹出すことができ、生成されたイオンを効率よく部屋の遠くまで吹出すことができる送風装置及び該送風装置を含む空気清浄機を提供する。【解決手段】第１風路部１３Ａは、シロッコファン１２の外周に沿い、開口部１３１Ａを有する略円筒状の周面部１３１を含み、第２風路部１３Ｂは、前記周面部１３１の開口部１３１Ａの周方向の一端側から前記シロッコファン１２の略接線方向に延在して、吹出し口７の一部に繋がる第１側面部１３３と、該第１側面部１３３と対向し、前記周面部１３１の開口部１３１Ａの周方向の他端側から前記吹出し口７に向かって延在し、前記吹出し口７の他部に繋がる第２側面部１３４とを含む。【選択図】図４
2011237107.tif 000002
【特許請求の範囲】
【請求項１】
シロッコファンと、
該シロッコファンが送出する空気を外部へ吹出す吹出し口と、
前記シロッコファンを囲繞するように配設された第１風路部、及び該第１風路部から前記吹出し口に延在する第２風路部を有し、前記シロッコファンが送出する空気を前記吹出し口にまで導く送風路と
を備え、
前記第１風路部は、
前記シロッコファンの外周に沿い、開口部を有する略円筒状の周面部を含み、
前記第２風路部は、
前記周面部の開口部の周方向の一端側から前記シロッコファンの略接線方向に延在して、前記吹出し口の一部に繋がる第１側面部と、
該第１側面部と対向し、前記周面部の開口部の周方向の他端側から前記吹出し口に向かって延在し、前記吹出し口の他部に繋がる第２側面部とを含むこと
を特徴とする送風装置。
【請求項２】
前記第２側面部は、前記第１側面部との間は２１°以下の角度を有するように傾いていること
を特徴とする請求項１に記載の送風装置。
【請求項３】
前記第１及び第２側面部は、ほぼ平行になるように延在していること
を特徴とする請求項２に記載の送風装置。
【請求項４】
請求項１から３の何れか１つに記載の送風装置と、イオン発生機とを備える空気清浄機であって、
前記送風装置は、
第１風路部は、周面部に連結されてシロッコファンの軸方向の両端側を覆い、前記シロッコファンの空気を吸入する一側に開口部を有する端面部をさらに有し、
第２風路部は、第１及び第２側面部を前記シロッコファンの回転軸方向の両側からそれぞれ挟み込む２枚の側板部をさらに有し、
該２枚の側板部のうち、前記端面部の開口部側に位置する側板部に、前記イオン発生機が配設されていること
を特徴とする空気清浄機。
【請求項５】
シロッコファンと、
前記シロッコファンが送出する空気を外部へ吹出す吹出し口と、
前記シロッコファンを囲繞するように配設される第１風路部、及び該第１風路部から前記吹出し口に延在する第２風路部を有し、前記シロッコファンが送出する空気を前記吹出し口にまで導く送風路と、
該送風路に配設されているイオン発生機と
を備え、
前記第１風路部は、前記シロッコファンの軸方向の両端側に該シロッコファンを覆い、前記シロッコファンの空気を吸入する一側で開口部を有する端面部を含み、
前記第２風路部は、
前記シロッコファンの軸方向の両端側に、前記端面部からそれぞれ延在して、前記吹出し口に繋がる２枚の側面部を含み、
該２枚の側面部のうち、前記開口部側に位置する側面部に、前記イオン発生機が配設されていること
を特徴とする空気清浄機。
【発明の詳細な説明】
【技術分野】
【０００１】
本発明は、送風装置及び該送風装置を備える空気清浄機に関する。
【背景技術】
【０００２】
室内の空気は、塵埃、煙草の煙、呼吸に伴って排出される二酸化炭素等のさまざまな物質で汚染されている。近年の住宅では気密性が高められて、このような汚染物質が室内に溜まりやすく、積極的に室内の空気の換気を行なう必要がある。
【０００３】
ところが、大気汚染の比較的ひどい地域にある家屋やオフィス等では、窓を開けて換気することはかえって室内に汚れた空気を取り込むことになって好ましくない。また、大気汚染のひどくない地域の家屋等でも、季節によっては花粉を室内に取り込むことになって、この場合には、花粉症の人にとって好ましくない。
【０００４】
そこで、窓を開けずに室内の空気を清浄化するために、空気清浄機が使用される。室内の空気を浄化する手法としては、室内の空気を吸引してフィルタで塵埃等を捕集し、活性炭等で汚染物質を吸着する手法が一般的である。そのため、空気清浄機には次のような基本的な構造が採用される。
【０００５】
すなわち、空気清浄機の本体内に送風機を有する送風路が設けられ、その送風路の入口に空気吸込み口が配設される一方、送風路の出口に吹出し口が配設される。そして、送風路の途中に集塵フィルタと脱臭フィルタとがそれぞれ配設される。さらに、送風路の途中にイオン発生機が配設され、そのイオン発生機で発生したイオンが清浄な空気とともに室内に放出される。室内に浮遊するカビ菌等は、放出されたイオンによって取囲まれて不活性化される。こうして、空気清浄機によって室内の空気が浄化されることになる。このような空気清浄機は、たとえば特許文献１に提案されている。
【先行技術文献】
【特許文献】
【０００６】
【特許文献１】特開２０００−１２１１１１号公報
【発明の概要】
【発明が解決しようとする課題】
【０００７】
室内の空気を効果的に浄化するために、空気清浄機には、従来からイオンを効率よく発生させ、その発生したイオンを含んだ空気を吹出し口からより均一にして吹出させることが求められている。
【０００８】
本発明は斯かる事情に鑑みてなされたものであり、吹出し口から空気をより均一、高速に吹出すことができ、生成されたイオンを効率よく部屋の遠くまで吹出すことができる送風装置及び該送風装置を含む空気清浄機を提供することを目的とする。
【課題を解決するための手段】
【０００９】
本発明に係る送風装置は、シロッコファンと、該シロッコファンが送出する空気を外部へ吹出す吹出し口と、前記シロッコファンを囲繞するように配設された第１風路部、及び該第１風路部から前記吹出し口に延在する第２風路部を有し、前記シロッコファンが送出する空気を前記吹出し口にまで導く送風路とを備え、前記第１風路部は、前記シロッコファンの外周に沿い、開口部を有する略円筒状の周面部を含み、前記第２風路部は、前記周面部の開口部の周方向の一端側から前記シロッコファンの略接線方向に延在して、前記吹出し口の一部に繋がる第１側面部と、該第１側面部と対向し、前記周面部の開口部の周方向の他端側から前記吹出し口に向かって延在し、前記吹出し口の他部に繋がる第２側面部とを含むことを特徴とする。
【００１０】
また、本発明に係る送風装置は、前記第２側面部は、前記第１側面部との間は２１°以下の角度を有するように傾いていることを特徴とする。
【００１１】
また、本発明に係る送風装置は、前記第１及び第２側面部は、ほぼ平行になるように延在していることを特徴とする。
【００１２】
本発明に係る空気清浄機は、上述した送風装置と、イオン発生機とを備える空気清浄機であって、前記送風装置は、第１風路部は、周面部に連結されてシロッコファンの軸方向の両端側を覆い、前記シロッコファンの空気を吸入する一側に開口部を有する端面部をさらに有し、第２風路部は、第１及び第２側面部を前記シロッコファンの回転軸方向の両側からそれぞれ挟み込む２枚の側板部をさらに有し、該２枚の側板部のうち、前記端面部の開口部側に位置する側板部に、前記イオン発生機が配設されていることを特徴とする。
【００１３】
また、本発明に係る空気清浄機は、シロッコファンと、前記シロッコファンが送出する空気を外部へ吹出す吹出し口と、前記シロッコファンを囲繞するように配設される第１風路部、及び該第１風路部から前記吹出し口に延在する第２風路部を有し、前記シロッコファンが送出する空気を前記吹出し口にまで導く送風路と、該送風路に配設されているイオン発生機とを備え、前記第１風路部は、前記シロッコファンの軸方向の両端側に該シロッコファンを覆い、前記シロッコファンの空気を吸入する一側で開口部を有する端面部を含み、前記第２風路部は、前記シロッコファンの軸方向の両端側に、前記端面部からそれぞれ延在して、前記吹出し口に繋がる２枚の側面部を含み、該２枚の側面部のうち、前記開口部側に位置する側面部に、前記イオン発生機が配設されていることを特徴とする。
【００１４】
本発明では、第２風路部は、第１風路部の略円筒状の周面部の開口部の周方向の一端側から略接線方向に延在して、吹出し口に繋がる第１側面部と、前記第１側面部と対向し、前記周面部の開口部の周方向の他端側から前記吹出し口に向かって前記第１側面部へ傾くように延在する第２側面部とを含む。この構成によれば、シロッコファンから遠心力によって吹出し口に向かって送り出される空気は、略円筒状の周面部の開口部から、シロッコファンの略接線方向に延在する第２側面部に沿って流れようとするところ、該第２側面部の傾きによって、第１側面部の側へ向かう空気の流れの成分が生じることになる。これにより、吹出し口における第２側面部の側の空気の吹出し量が第１側面部の側の空気の吹出し量よりも多くなるのが抑制されて、吹出し口の開口長さにわたってより均一に空気を吹出すことができる。なお、略円筒状あるいは略接線方向とは、数学的な円筒状や接線方向を意図するものではなく、一見して円筒状や接線方向であることが認識できる程度の構造を意図するものである。
【００１５】
本発明では、前記第２側面部は、前記第１側面部との間は２１°以下の角度を有するように傾いていることにより、吹出し口における第２側面部の側の空気の吹出し量が第１側面部の側の空気の吹出し量よりも多くなるのが確実に抑制されて、吹出し口の開口長さにわたってより均一に空気を吹出すことができる。
【００１６】
本発明では、前記第１及び第２側面部は、ほぼ平行になるように延在していることにより、吹出し口における第２側面部の側の空気の吹出し量が第１側面部の側の空気の吹出し量よりも多くなるのがいっそう確実に抑制されて、吹出し口の開口長さにわたってより均一に空気を吹出すことができる。また、送風路の幅が従来より狭くされることになり、送風路で風速を速くすることができる。
【００１７】
本発明では、第１風路部は、周面部に連結されてシロッコファンの軸方向の両端側を覆い、前記シロッコファンの空気を吸入する一側に開口部を有する端面部をさらに有し、第２風路部は、第１及び第２側面部を前記シロッコファンの回転軸方向の両側からそれぞれ挟み込む２枚の側板部をさらに有し、該１対の側板部のうち、第１風路部の開口部側に位置する側板部に、前記イオン発生機が配設される。イオン発生機が配設されている側板部の側では、シロッコファンの吸込み口である開口部からシロッコファンが近いので、風圧が相対的に高くなる。送風装置から吹出された空気は、高速でイオン発生機へ当たり、イオン発生機から生成されたイオンが効率よく室内に放出されることができる。
【発明の効果】
【００１８】
本発明に係る送風装置による場合、吹出し口における空気の吹出し量のばらつきが抑制されて、吹出し口から空気をより均一、高速に吹出すことができる。また、空気清浄機に適用される場合は、生成されたイオンを効率よく部屋の遠くまで吹出すことができる。
【図面の簡単な説明】
【００１９】
【図１】本発明の実施の形態に係る空気清浄機を前面側から見た斜視図である。
【図２】本発明の実施の形態に係る空気清浄機を背面側から見た斜視図である。
【図３】本発明の実施の形態に係る空気清浄機の構成を模式的に示す縦断面図である。
【図４】本発明の実施の形態に係る空気清浄機の構成を示す部分破断正面図である。
【図５】本実施の形態に係る空気清浄機による部屋内の空気の流れを模式的に示す説明図である。
【図６】実施例１に係る空気清浄機の構成を示す部分破断正面図である。
【図７】実施例２に係る空気清浄機の構成を示す部分破断正面図である。
【図８】風速の測定点を示す模式図である。
【図９】実施例１に係る空気清浄機の風速測定の結果を示すグラフである。
【図１０】比較例１に係る空気清浄機の風速測定の結果を示すグラフである。
【図１１】比較例１に係る空気清浄機内の空気の流れを模式的に示す説明図である。
【図１２】実施例２及び比較例１に係る空気清浄機のイオン数の測定の結果を示すグラフである。
【発明を実施するための形態】
【００２０】
以下本発明をその実施の形態を示す図面に基づき具体的に説明する。
なお、以下の実施の形態では、本発明の実施の形態に係る空気清浄機として、空気清浄機能を有する据え置き型の空気清浄機について説明する。
【００２１】
（全体構成）
図１は本発明の実施の形態に係る空気清浄機１を前面側から見た斜視図である。図２は本発明の実施の形態に係る空気清浄機１を背面側から見た斜視図である。
【００２２】
図１、図２に示すように、空気清浄機１は、本体ケーシング２と、前面パネル３と、本体ケーシング２の左右両側部に設けられている側面パネル４，４を主に備えている。本体ケーシング２は、縦長の箱状体からなり、その内部には空気清浄機１の主要部品が納められている。本体ケーシング２の主面には、吸込み口６が設けられている。吸込み口６は、空気清浄機１の外部の空気を空気清浄機１の内部へと導入するための開口部である。以下の説明では、空気清浄機１の前面パネル３が配置されている図１の紙面手前側を「前」とし、吸込み口６が配置されている図１の紙面奥側を「後」とする。また、以下の説明で使用する「左、右」は、図２中の「左、右」である。
【００２３】
本体ケーシング２の上部には、上面パネル部５が設けられており、この上面パネル部５には、吹出し口７が配設されている。吹出し口７は、空気清浄機１によって清浄化された空気を空気清浄機１の外部へ吹出すための開口部である。また、側面パネル４，４には、把手部４１，４１が設けられている。この把手部４１は、空気清浄機１を持ち上げて搬送する際等の利便性を考慮して設けられたものである。なお、側面パネル４，４の一方又は両方には、後述する加湿フィルタ用の加湿タンク等が配設されてもよい。
【００２４】
前面パネル３には、各種操作ボタン、表示ランプ等が配設されている。前面パネル３は本体ケーシング２の前面及び側面の一部を覆うように本体ケーシング２に着脱自在に取付けられる。前面パネル３は、装置の動作時において、後述するシロッコファンやモータ等にて発生する騒音が装置外部へと漏れ出さないようにするための遮音部材として取付けられるものであり、同時に装置の外観上の美観を確保するためのものでもある。
【００２５】
次に、空気清浄機１の内部の構造について説明する。図３は本発明の実施の形態に係る空気清浄機１の構成を模式的に示す縦断面図である。図４は本発明の実施の形態に係る空気清浄機１の構成を示す部分破断正面図である。
【００２６】
図３及び図４に示すように、空気清浄機１の内部には、吸込み口６と近接するように、吸込み口６から吸込まれた空気に対して集塵処理を施す集塵フィルタ１０が配設されている。集塵フィルタ１０の前面側には、集塵処理を施された空気に対して加湿処理を施す加湿フィルタ１１が配設されている。加湿フィルタ１１の前面側には、吸込み面１２Ｂが該加湿フィルタ１１と対面するように、シロッコファン１２が配置されている。シロッコファン１２はモータ（図示せず）によって駆動され、回転軸１２Ａ周りに回転する。図４では、太い破線によってシロッコファン１２の外輪郭が示されている。シロッコファン１２の周り及び前面側を囲むように形成される下側送風路１３Ａ、及び該下側送風路１３Ａから上方向に延在する上側送風路１３Ｂによって、送風路１３が構成される。送風路１３は、本体ケーシング２の上部に設けられた吹出し口７に連通している。
【００２７】
下側送風路１３Ａには、シロッコファン１２の吸込み面１２Ｂと対面するように連通孔１４が形成される。上側送風路１３Ｂは、連通孔１４が形成された部分の直上に、イオン発生機１５が設けられている。イオン発生機１５は、交流電圧を印加することによって、空気中の酸素または水分をイオン化させ、正イオン及び負イオンの少なくともいずれか一方のイオンを生成する。生成したイオンはシロッコファン１２で発生した風によって吹出し口７から室内に放出される。放出されたイオンは、空気中に浮遊する浮遊細菌、有害物質、ウィルス類、及び臭いの元となる分子などを分解又は不活化することによって、これらを除去することができる。したがって、空気清浄機１では、イオン発生機１５のメカニズムによって、殺菌、室内の脱臭などの効果を得ることができる。
【００２８】
（送風路）
送風路１３は、図３及び図４に示すように、下側送風路１３Ａと上側送風路１３Ｂとによって構成される。下側送風路１３Ａは、周方向及び前後面側からシロッコファン１２を覆うように形成されている。下側送風路１３Ａは、シロッコファン１２の外周に沿ってシロッコファン１２を周方向から囲繞するように略円筒状に形成されており、開口部１３１Ａを有する周面部１３１と、シロッコファン１２の前面及び後面側で該周面部１３１と連結し、シロッコファン１２の前面及び後面側を覆う端面部１３２とによって構成される。該端面部１３２には、後面側では本体ケーシング２内に取り込まれた空気がシロッコファン１２まで導かれるように、シロッコファン１２の吸込み面１２Ｂと対面する連通孔１４が形成されている。
【００２９】
上側送風路１３Ｂは、下側送風路１３Ａから上方向に向かって連続して、角筒状に形成されている。上側送風路１３Ｂは、４つの側壁１３３〜１３６によって構成される。左側壁１３３は、周面部１３１の開口部１３１Ａの周方向の一端側からほぼシロッコファン１２の円周の略接線Ｓの方向に延在して吹出し口７に繋がる。右側壁１３４は左側壁１３３と対向し、周面部１３１の開口部１３１Ａの周方向の他端側から、左側壁１３３に向かって傾くように延在し、吹出し口７に繋がる。前側壁１３５と後側壁１３６とは、１対の側板部として、左側壁１３３及び右側壁１３４を、シロッコファン１２の回転軸１２Ａの方向の一端側と他端側とからそれぞれ挟み込むように、吹出し口７に向かって延在する。また、前側壁１３５及び後側壁１３６は、後面側に向くように略傾けられた状態で、下側送風路１３Ａから吹出し口７に向かって互いに近接するように延在する。連通孔１４のほぼ直上、吹出し口７の直下の後側壁１３６の部分には、イオン発生機１５が取付けられている。
【００３０】
（吹出し口）
吹出し口７は、図３及び図４に示すように、シロッコファン１２の上方に配設され、仕切り材７１により第１吹出し口７２と第２吹出し口７３との２つの吹出し口に分けられる。第１吹出し口７２はイオン発生機１５が取付けられた後側壁１３６の側に配設され、第２吹出し口７３は前側壁１３５の側に配設されている。
【００３１】
第１吹出し口７２及び第２吹出し口７３のそれぞれには、空気の向きを調整するためのルーバ７４，７５が設けられている。また、このルーバ７４，７５は、送風路内に異物が侵入したり、手や指などが入るのを防止するといった故障防止や安全対策を図る機能も有する。仕切り材７１はルーバ７４から立ち上がり、基部はルーバ７４に取付けられており、先端部に空気清浄機１の前面側に向けて延びる偏向部７１Ａが形成されている。これにより、シロッコファン１２から遠心力によって吹出し口７に向かって送り出される空気は、仕切り材７１に分流され、第１吹出し口７２に導かれた空気は、空気清浄機１の後面側に向けて上方向へ吹出され、第２吹出し口７３に導かれた空気は、仕切り材７１の偏向部７１Ａによって空気清浄機１の前面側へ吹出されることになる。
【００３２】
（空気の流れ）
次に、空気清浄機１における空気の流れについて説明する。まず、シロッコファン１２がモータによって回転駆動されることにより、シロッコファン１２の後方の本体ケーシング２の空間において負圧が生じ、図３に示すように、本体ケーシング２に位置する吸込み口６を介して室内の空気が本体ケーシング２内に取り込まれる。
【００３３】
本体ケーシング２内に取り込まれた空気は、図３に示すように、集塵フィルタ１０及び加湿フィルタ１１を順に通過する際に、集塵処理及び加湿処理が施され、下側送風路１３Ａに設けられた連通孔１４を通過する。次に、連通孔１４を通過した空気は、図３及び図４に示すように、シロッコファン１２の周面から外方に向かって吹出される。こうして吹出された空気は、送風路１３により吹出し口７にまで導かれて、イオン発生機１５によって発生したイオンとともに室内に送り出されることになる。図３、図４では、このような一連の空気の流れが矢印（白抜き）によって示されている。
【００３４】
空気清浄機１では、吹出し口７は仕切り材７１により第１吹出し口７２と第２吹出し口７３との２つの吹出し口に分けられる。吹出し口７まで導かれた空気は、第１吹出し口７２から空気清浄機１の後面側に向かって上方向に吹出されるとともに、第２吹出し口７３から前面側に吹出される。
【００３５】
上述した空気清浄機１では、図３及び図４に示すように、上側送風路１３Ｂでは、左側壁１３３は、周面部１３１の開口部１３１Ａの周方向の一端側からシロッコファン１２の円周のほぼ接線Ｓの方向に延在して吹出し口７に繋がる。右側壁１３４は左側壁１３３と対向し、周面部１３１の周方向の他端側から、左側壁１３３に向かって傾くように延在して吹出し口７に繋がる。シロッコファン１２は図４の時計回り方向に回転し、シロッコファン１２の遠心力によって吹出し口７に向かって送り出される空気は、右側壁１３４の側では風量が多く、左側壁１３３の側では風量が少なくなる。したがって、空気は右側壁１３４の側へ相対的に高風速で吹出され、左側壁１３３の側へ相対的に低風速で吹出される。このとき、シロッコファン１２から相対的に高風速で吹出された空気は、右側壁１３４に沿って流れようとするところ、該右側壁１３４の左側への傾きによって、左側壁１３３の側へ向かう空気の流れの成分が生じることになる。
【００３６】
これにより、シロッコファン１２からの空気が送風路１３内で整流されて吹出し口７へ吹出され、送風路１３における右側壁１３４の側の空気の吹出し量が左側壁１３３の側の空気の吹出し量よりも多くなるのが抑制されるので、吹出し口７の長手方向にわたってより均一に空気が吹出される。また、整流された風は、イオン発生機１５の近傍を通過し、イオン発生機１５内に複数個並べて配置されたイオン発生電極へ乱流がなく当たることにより、イオン発生機１５のある電極から生成されたイオンが他の電極のイオンと干渉・減衰することなく放出されることになる。
【００３７】
また、左側壁１３３は、周面部１３１の開口部１３１Ａの周方向の一端側からほぼシロッコファン１２の円周の略接線Ｓの方向に延在して吹出し口７に繋がり、右側壁１３４は左側壁１３３と対向し、周面部１３１の開口部１３１Ａの周方向の他端側から、左側壁１３３に向かって傾くように延在し、吹出し口７に繋がるので、送風路１３の左右方向の幅が従来より狭くされることになる。これにより、送風路１３で風速を速くすることができる。シロッコファン１２から吹出された空気は、高速でイオン発生機１５へ当たり、イオン発生機１５から生成されたイオンが効率よく室内に放出されることができる。
【００３８】
本実施の形態の空気清浄機１では、前側壁１３５及び後側壁１３６は、後面側に向くように略傾けられた状態で、下側送風路１３Ａから吹出し口７に向かって互いに近接するように延在し、連通孔１４のほぼ直上、吹出し口７のほぼ直下の後側壁１３６の部分には、イオン発生機１５が取付けられている。図３の矢印（白抜き）によって示されているように、後側壁１３６の側では、吸込み口６からシロッコファン１２が近いので、風圧が相対的に高くなり、前側壁１３５の側では、吸込み口６からシロッコファン１２が遠いので、風圧が相対的に低くなる。これにより、シロッコファン１２から送り出される空気が、相対的に高速で後側壁１３６に取付けられているイオン発生機１５に当たる。イオン発生機１５から生成されたイオンはさらに効率よく室内に放出されることができる。
【００３９】
また、図３に示したように、吹出し口７は、仕切り材７１により第１吹出し口７２と第２吹出し口７３との２つの吹出し口に分けられる。シロッコファン１２から送り出されて後側壁１３６に沿って第１吹出し口７２に導かれた空気は、相対的に高い風速で空気清浄機１の後面側に向けて上方向へ吹出され、前側壁１３５に沿って第２吹出し口７３に導かれた空気は、相対的に低い風速で空気清浄機１の前面側へ吹出されることになる。
【００４０】
図５は本実施の形態に係る空気清浄機による部屋内の空気の流れを模式的に示す説明図である。図５に示したように、空気清浄機１は吸込み口、即ち後面側が壁と対向するように部屋に設置されている場合、吹出し口から相対的に高い風速で空気清浄機１の後面側に向けて吹出された空気は、壁に当たって反射され、部屋の中央へ吹出される。これにより、部屋の遠くまで空気を吹出すことができる。また、シロッコファンの回転による吸込み力は、部屋内の空気を空気清浄機１へ吸込み、空気の流動をいっそう向上させることが可能である。本実施の形態に係る空気清浄機１を採用することにより、部屋の遠くの埃まで早く吸い寄せることができる。
【００４１】
以下、本発明を実施例及び比較例に基づいて詳細に述べる。
（実施例１）
図６は実施例１に係る空気清浄機１の構成を示す部分破断正面図である。図６に示したように、実施例１に係る空気清浄機１は、左側壁１３３はシロッコファン１２の円周の略接線Ｓの方向に延在し、鉛直方向（破線によって示されている）に対して３５°傾くように構成される。右側壁１３４は左側壁１３３と対向し、周面部１３１の開口部１３１Ａの周方向の他端側から、左側壁１３３に向かって鉛直方向に対して１４°傾くように延在する。イオン発生機１５は、後側壁１３６に取付けられている。このように構成した空気清浄機１の吹出し口７では、シロッコファン１２の左右方向の開口長さＷが２００ｍｍである。
【００４２】
（実施例２）
図７は実施例２に係る空気清浄機１の構成を示す部分破断正面図である。図７に示したように、実施例２に係る空気清浄機１は、左側壁１３３はシロッコファン１２の円周の略接線Ｓの方向に延在し、途中で鉛直方向（破線によって示されている）に対して４４°傾くように右側壁１３４から遠ざかって吹出し口７に繋がる。右側壁１３４は左側壁１３３と対向し、周面部１３１の開口部１３１Ａの周方向の他端側から、左側壁１３３に向かって鉛直方向に対して６°傾くように延在する。イオン発生機１５は、後側壁１３６に取付けられている。このように構成した空気清浄機１の吹出し口７ではシロッコファン１２の左右方向の開口長さＷが２６０ｍｍである。
【００４３】
（比較例１）
実施例２のイオン発生機１５の取付け位置に代えて、イオン発生機１５が前側壁１３５に取付けられていること以外は、実施例２と同様にして、比較例１に係る空気清浄機１を得た。
【００４４】
実施例１及び比較例１の空気清浄機１につき、吹き出した風速を測定した。図８は風速の測定点を示す模式図である。風量がそれぞれ３．６ｍ3／ｍｉｎ、６．５ｍ3／ｍｉｎとなるように、空気清浄機１を運転させ、図８に示したように、吹出し口７の近傍であって、製品の前側及び後側の左、中、右合わせて６つの測定点において、風速を測定した。
【００４５】
実施例１の空気清浄機１については、風速測定の結果を図９Ａの表及び図９Ｂのグラフに、比較例１の空気清浄機１については、風速測定の結果を図１０Ａの表及び図１０Ｂのグラフに示す。図９に示したように、実施例１の空気清浄機１は、乱流なしに吹出し口７の開口長さにわたって高風速でほぼ均一に空気を吹出したことを確認した。一方、図１０に示したように、実施例１の空気清浄機１に対して、比較例１の空気清浄機１は、吹出し口７から吹出した空気は、風速は遅くなり、かつばらつきが著しくなると認めた。
【００４６】
次に、比較例１に係る空気清浄機１の風速ばらつきの原因について説明する。図１１は比較例１に係る空気清浄機１内の空気の流れを模式的に示す説明図である。図１１に示したように、比較例１の空気清浄機１では、シロッコファン１２から吹出された空気は、シロッコファン１２の円周の略接線Ｓの方向に延在している左側壁１３３に沿って流れようとするところ、該左側壁１３３は途中で右側壁１３４から遠ざかるように傾くので、左側壁１３３の傾き部の側へ向かう空気の流れの成分が生じ、風速を低下させる。さらに、外の空気が吸込まれることもある。シロッコファン１２の円周の略接線Ｓの方向と左側壁１３３の傾き部分との間の領域Ｒでは、乱流が発生すると推定できる。図１１では、この乱流発生領域Ｒがハッチングによって示されている。
【００４７】
また、比較例１の空気清浄機１では、右側壁１３４は、周面部１３１の周方向の他端側から、左側壁１３３に向かって鉛直方向に対して６°傾くように延在する。右側壁１３４側へシロッコファン１２が送り出す空気は、相対的に高風速で吹出される。右側壁１３４はほぼ傾きなしに延在しているので、送り出された空気は風速がほとんど低下せず右側壁１３４に沿って吹出し口７から吹出される。したがって、比較例１の空気清浄機１では、吹出し口７から吹出された空気は、右側に対して左側での風速が大きく低下し、風速のばらつきが起こる。
【００４８】
実施例２及び比較例１の空気清浄機１につき、発生したイオン数を測定した。イオン数の測定は、空気清浄機１を中運転モード及び強運転モードでそれぞれ運転させ、空気清浄機１から１．２ｍを離れる部屋のほぼ中央で、イオンの数を測定した。
【００４９】
実施例２及び比較例１の空気清浄機１については、イオン数の測定の結果を図１２Ａの表及び図１２Ｂのグラフに示す。図１２Ａ及び図１２Ｂに示したように、実施例２の空気清浄機１は、中運転モードで７２４９個、強運転モードで１３８１９個イオンを送り出したことを確認した。一方、比較例１の空気清浄機１は、中運転モードで６２７４個、強運転モードで１１３０４個イオンを送り出したことを確認した。実施例２の空気清浄機１は、生成されたイオンがさらに効率よく室内に放出されることができ、比較例１より中運転モードでは１６％、強運転モードでは２２％多いイオンを室内に放出することができる。実施例２の空気清浄機１は、後側壁１３６にイオン発生機１５が取付けられているので、シロッコファン１２から送り出される空気が、相対的に高い風速で後側壁１３６に取付けられているイオン発生機１５に当たり、イオンがより効果的に取り出される。
【００５０】
以上、本発明の実施形態を詳述したが、本発明は前記実施形態に限定されるものではなく、本発明の要旨の範囲内で種々の変形実施が可能である。
【００５１】
例えば、実施の形態において、第１吹出し口７２及び第２吹出し口７３では、ルーバとして固定式のルーバ７４，７５を採用しているが、この他に、吹出し角度を変えることができるルーバを配設するようにしてもよい。これにより、イオン濃度の高い空気の吹出し方向の自由度が高められて、その結果、部屋の形状や大きさに応じた空気の吹き出しを行なうことができて、より効果的な空気の浄化を行なうことができる。
【００５２】
また、左側壁１３３はシロッコファン１２の円周の略接線Ｓの方向に延在し、鉛直方向に対して３５°傾いており、右側壁１３４は左側壁１３３と対向し、左側壁１３３に向かって鉛直方向に対して１４°傾くように構成されている空気清浄機を実施例に挙げて本発明の効果を説明した。しかし、この左側壁１３３及び右側壁１３４の傾きの角度はただ一例であり、本発明はこれに限定されるものではなく、右側壁１３４は、左側壁１３３との間は２１°以下の角度を有するように構成すればよい。また、右側壁１３４及び左側壁１３３はほぼ平行になるように延在していることはさらに好ましい。つまり、空気清浄機の出力、設置場所などに応じて、左側壁１３３及び右側壁１３４の傾き角度をパラメータとして、風速と吹出されたイオンの数とを測定して、適当な範囲を採用すればよい。
【００５３】
また、上述した空気清浄機では、据え置き型の空気清浄機を例に挙げて説明したが、この他に、たとえば壁掛け式の空気清浄機やビルトインタイプの空気清浄機、車載用の空気清浄機、さらには、空気調和機、あるいは除湿機等へも適用することが可能である。
【００５４】
今回開示された実施の形態は例示であって、これに制限されるものではない。本発明は上記で説明した範囲ではなく、特許請求の範囲によって示され、特許請求の範囲と均等の意味及び範囲でのすべての変更が含まれることが意図される。
【符号の説明】
【００５５】
１  空気清浄機
７  吹出し口
１２  シロッコファン
１２Ａ  回転軸
１３  送風路
１３Ａ  下側送風路（第１風路部）
１３Ｂ  上側送風路（第２風路部）
１３１  周面部
１３１Ａ  開口部
１３２  端面部
１３３  左側壁（第１側面部）
１３４  右側壁（第２側面部）
１３５  前側壁（側板部）
１３６  後側壁（側板部）
１４  連通孔（開口部）
１５  イオン発生機
【図１】
2011237107.tif 000003
【図２】
2011237107.tif 000004
【図３】
2011237107.tif 000005
【図４】
2011237107.tif 000006
【図５】
2011237107.tif 000007
【図６】
2011237107.tif 000008
【図７】
2011237107.tif 000009
【図８】
2011237107.tif 000010
【図９】
2011237107.tif 000011
【図１０】
2011237107.tif 000012
【図１１】
2011237107.tif 000013
【図１２】
2011237107.tif 000014
【手続補正書】
【提出日】平成23年6月23日(2011.6.23)
【手続補正２】
【補正対象書類名】明細書
【補正対象項目名】０００１
【補正方法】変更
【補正の内容】
【０００１】
本発明は、空気清浄機に関する。
【手続補正３】
【補正対象書類名】明細書
【補正対象項目名】０００８
【補正方法】変更
【補正の内容】
【０００８】
本発明は斯かる事情に鑑みてなされたものであり、吹出し口から空気をより均一、高速に吹出すことができ、生成されたイオンを効率よく部屋の遠くまで吹出すことができる空気清浄機を提供することを目的とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明に係る空気清浄機は、シロッコファンと、該シロッコファンが送出する空気を外部へ吹出す吹出し口と、前記シロッコファンを囲繞するように配設された第１風路部、及び該第１風路部から前記吹出し口に延在する第２風路部を有し、前記シロッコファンが送出する空気を前記吹出し口にまで導く送風路とを備え、前記第１風路部は、前記シロッコファンの外周に沿い、開口部を有する略円筒状の周面部を含み、前記第２風路部は、前記周面部の開口部の周方向の一端側から前記シロッコファンの略接線方向に延在して、前記吹出し口の一部に繋がる第１側面部と、該第１側面部と対向し、前記周面部の開口部の周方向の他端側から前記吹出し口に向かって延在し、前記吹出し口の他部に繋がる第２側面部とを含み、前記第１及び第２側面部は、ほぼ平行になるように延在している送風装置と、イオン発生機とを備える空気清浄機であって、前記送風装置は、前記第１風路部は、前記周面部に連結されて前記シロッコファンの軸方向の両端側を覆い、前記シロッコファンの空気を吸入する一側に開口部を有する端面部をさらに有し、前記第２風路部は、前記第１及び第２側面部を前記シロッコファンの回転軸方向の両側からそれぞれ挟み込む２枚の側板部をさらに有し、該２枚の側板部は、前記吹出し口に向かって前記端面部の開口部側に傾斜する状態で、互いに近接するように延在しており、該２枚の側板部のうち、前記端面部の開口部側に位置する側板部に、前記イオン発生機が配設されていることを特徴とする。
【手続補正８】
【補正対象書類名】明細書
【補正対象項目名】００１３
【補正方法】変更
【補正の内容】
【００１３】
また、本発明に係る空気清浄機は、シロッコファンと、前記シロッコファンが送出する空気を外部へ吹出す吹出し口と、前記シロッコファンを囲繞するように配設される第１風路部、及び該第１風路部から前記吹出し口に延在する第２風路部を有し、前記シロッコファンが送出する空気を前記吹出し口にまで導く送風路と、該送風路に配設されているイオン発生機とを備え、前記第１風路部は、前記シロッコファンの軸方向の両端側に該シロッコファンを覆い、前記シロッコファンの空気を吸入する一側で開口部を有する端面部を含み、前記第２風路部は、前記シロッコファンの軸方向の両端側に、前記端面部からそれぞれ延在して、前記吹出し口に繋がる２つの側面部を含み、該２つの側面部は、前記吹出し口に向かって前記端面部の開口部側に傾斜する状態で、互いに近接するように延在し、前記２つの側板部のうち、前記開口部側に位置する側面部に、前記イオン発生機が配設されていることを特徴とする。
【手続補正９】
【補正対象書類名】明細書
【補正対象項目名】００１５
【補正方法】削除
【補正の内容】
【手続補正１０】
【補正対象書類名】特許請求の範囲
【補正対象項目名】全文
【補正方法】変更
【補正の内容】
【特許請求の範囲】
【請求項１】
シロッコファンと、
該シロッコファンが送出する空気を外部へ吹出す吹出し口と、
前記シロッコファンを囲繞するように配設された第１風路部、及び該第１風路部から前記吹出し口に延在する第２風路部を有し、前記シロッコファンが送出する空気を前記吹出し口にまで導く送風路と
を備え、
前記第１風路部は、
前記シロッコファンの外周に沿い、開口部を有する略円筒状の周面部を含み、
前記第２風路部は、
前記周面部の開口部の周方向の一端側から前記シロッコファンの略接線方向に延在して、前記吹出し口の一部に繋がる第１側面部と、
該第１側面部と対向し、前記周面部の開口部の周方向の他端側から前記吹出し口に向かって延在し、前記吹出し口の他部に繋がる第２側面部とを含み、
前記第１及び第２側面部は、ほぼ平行になるように延在している送風装置と、
イオン発生機とを備える空気清浄機であって、
前記送風装置は、
前記第１風路部は、前記周面部に連結されて前記シロッコファンの軸方向の両端側を覆い、前記シロッコファンの空気を吸入する一側に開口部を有する端面部をさらに有し、
前記第２風路部は、前記第１及び第２側面部を前記シロッコファンの回転軸方向の両側からそれぞれ挟み込む２枚の側板部をさらに有し、
該２枚の側板部は、前記吹出し口に向かって前記端面部の開口部側に傾斜する状態で、互いに近接するように延在し、
前記２枚の側板部のうち、前記端面部の開口部側に位置する側板部に、前記イオン発生機が配設されていること
を特徴とする空気清浄機。
【請求項２】
シロッコファンと、
前記シロッコファンが送出する空気を外部へ吹出す吹出し口と、
前記シロッコファンを囲繞するように配設される第１風路部、及び該第１風路部から前記吹出し口に延在する第２風路部を有し、前記シロッコファンが送出する空気を前記吹出し口にまで導く送風路と、
該送風路に配設されているイオン発生機と
を備え、
前記第１風路部は、前記シロッコファンの軸方向の両端側に該シロッコファンを覆い、前記シロッコファンの空気を吸入する一側で開口部を有する端面部を含み、
前記第２風路部は、
前記シロッコファンの軸方向の両端側に、前記端面部からそれぞれ延在して、前記吹出し口に繋がる２つの側面部を含み、
該２つの側面部は、前記吹出し口に向かって前記端面部の開口部側に傾斜する状態で、互いに近接するように延在し、
前記２つの側板部のうち、前記開口部側に位置する側面部に、前記イオン発生機が配設されていること
を特徴とする空気清浄機。